【手続補正書】
【提出日】平成18年3月13日(2006.3.13)
【手続補正１】
【補正対象書類名】特許請求の範囲
【補正対象項目名】請求項１
【補正方法】変更
【補正の内容】
【請求項１】
カム面を有するハウジングと、このハウジングに回動可能に支持された操作レバーと、前記カム面と協働して操作レバーを中立位置及び動作位置に保持する駆動部と、ハンドル側のキャンセル突起に当接して回動される第１のレバー部材と、この第１のレバー部材を前記キャンセル突起の回転軌跡へ向けて弾性付勢する弾性部材と、前記第１のレバー部材の回転に連動して前記操作レバーを動作位置から、中立位置に復帰させる第２のレバー部材とを備え、前記操作レバーが中立位置にある時、前記操作レバーによって前記第１のレバー部材を前記弾性部材の弾性力に抗して前記キャンセル突起の回転軌跡外に後退させ、前記操作レバーが動作位置にある時、前記第１のレバー部材を前記弾性部材の付勢力で前記キャンセル突起の回転軌跡内に進出させるターンシグナルスイッチ装置であって、前記ハウジングに中間支持部材を設け、この中間支持部材に開口と第１及び第２の軸部を形成し、前記中間支持部材の一面側に前記第１のレバー部材を配設し、この第１のレバー部材に突設されたカム部を前記開口に挿通させた状態で前記第１の軸部に前記第１のレバー部材を回動かつスライド移動可能に軸支し、この第１のレバー部材に前記第２のレバー部材に突設された連結ピンを連結して前記第１のレバー部材が前記連結ピンに対して回動かつスライド移動可能となるように配置すると共に、前記第２のレバー部材を前記第２の軸部に回動可能に軸支し、前記中間支持部材の他面側に前記操作レバーによって駆動されるカム部を備えた可動部材を配置し、この可動部材のカム部と前記開口に挿通された前記第１のレバー部材のカム部とを互いに係合させたことを特徴とするターンシグナルスイッチ装置。
【手続補正２】
【補正対象書類名】明細書
【補正対象項目名】００２０
【補正方法】変更
【補正の内容】
【００２０】  上記課題を解決するために本発明では第１の解決手段として、カム面を有するハウジングと、このハウジングに回動可能に支持された操作レバーと、前記カム面と協働して操作レバーを中立位置及び動作位置に保持する駆動部と、ハンドル側のキャンセル突起に当接して回動される第１のレバー部材と、この第１のレバー部材を前記キャンセル突起の回転軌跡へ向けて弾性付勢する弾性部材と、前記第１のレバー部材の回転に連動して前記操作レバーを動作位置から、中立位置に復帰させる第２のレバー部材とを備え、前記操作レバーが中立位置にある時、前記操作レバーによって前記第１のレバー部材を前記弾性部材の弾性力に抗して前記キャンセル突起の回転軌跡外に後退させ、前記操作レバーが動作位置にある時、前記第１のレバー部材を前記弾性部材の付勢力で前記キャンセル突起の回転軌跡内に進出させるターンシグナルスイッチ装置であって、前記ハウジングに中間支持部材を設け、この中間支持部材に開口と第１及び第２の軸部を形成し、前記中間支持部材の一面側に前記第１のレバー部材を配設し、この第１のレバー部材に突設されたカム部を前記開口に挿通させた状態で前記第１の軸部に前記第１のレバー部材を回動かつスライド移動可能に軸支し、この第１のレバー部材に前記第２のレバー部材に突設された連結ピンを連結して前記第１のレバー部材が前記連結ピンに対して回動かつスライド移動可能となるように配置すると共に、前記第２のレバー部材を前記第２の軸部に回動可能に軸支し、前記中間支持部材の他面側に前記操作レバーによって駆動されるカム部を備えた可動部材を配置し、この可動部材のカム部と前記開口に挿通された前記第１のレバー部材のカム部とを互いに係合させた構成とした。
【手続補正３】
【補正対象書類名】明細書
【補正対象項目名】００２２
【補正方法】変更
【補正の内容】
【００２２】  以上説明したように、本発明のターンシグナルスイッチ装置は、カム面を有するハウジングと、ハウジングに回動可能に支持された操作レバーと、カム面と協働して操作レバーを中立位置及び動作位置に保持する駆動部と、ハンドル側のキャンセル突起に当接して回動される第１のレバー部材と、第１のレバー部材をキャンセル突起の回転軌跡へ向けて弾性付勢する弾性部材と、第１のレバー部材の回転に連動して操作レバーを動作位置から、中立位置に復帰させる第２のレバー部材とを備え、操作レバーが中立位置にある時、操作レバーによって第１のレバー部材を弾性部材の弾性力に抗してキャンセル突起の回転軌跡外に後退させ、操作レバーが動作位置にある時、第１のレバー部材を弾性部材の付勢力でキャンセル突起の回転軌跡内に進出させるターンシグナルスイッチ装置であって、ハウジングに中間支持部材を設け、中間支持部材に開口と第１及び第２の軸部を形成し、中間支持部材の一面側に前記第１のレバー部材を配設し、この第１のレバー部材に突設されたカム部を開口に挿通させた状態で第１の軸部に第１のレバー部材を回動かつスライド移動可能に軸支し、第１のレバー部材に第２のレバー部材に突設された連結ピンを連結して第１のレバー部材が連結ピンに対して回動かつスライド移動可能となるように配置すると共に、第２のレバー部材を第２の軸部に回動可能に軸支し、中間支持部材の他面側に操作レバーによって駆動されるカム部を備えた可動部材を配置し、この可動部材のカム部と開口に挿通された第１のレバー部材のカム部とを互いに係合させたことから、操作レバーによって駆動されるホルダの下面側に配設された可動部材のカム部に中間支持部材の開口を対応させた状態で中間支持部材をホルダ上に重ね、目視状態で、可動部材のカム部と第１のレバー部材のカム部とを所定の位置で係合させつつ第１のレバー部材、第２のレバー部材を組付けることができるので、組立てを容易かつ確実におこなうことができ、組立て後の組付け確認検査を不要にできる。
【手続補正４】
【補正対象書類名】明細書
【補正対象項目名】００４３
【補正方法】変更
【補正の内容】
【００４３】  次に、中間支持部材４の第１の軸部４ａに、第１のレバー部材５の長孔５ａを回動及びスライド移動可能に軸支させると共に、一面側（図示下側）に第１のレバー部材５を配設し、第１のレバー部材５に突設されたカム部５ｂを、この中間支持部材４の開口４ｅを通して下側に配置された可動部材１０のカム部１０ｂと係合させる。この時、第１のレバー部材５の平坦部５ｄが第１の弾性部材７に当接されて長孔５ａの長手方向へ弾性付勢されるものとなるが、第１のレバー部材５のカム部５ｂの先端が可動部材１０のカム部１０ｂの先端に当接して規制されているので、第１の弾性部材７に付勢された状態でこの位置に保持されるものとなる。
【手続補正５】
【補正対象書類名】明細書
【補正対象項目名】００５７
【補正方法】変更
【補正の内容】
【００５７】  上記した本発明の実施例によれば、ターンシグナルスイッチ装置のハウジングに中間支持部材４を設け、この中間支持部材４に開口４ｅと、第１及び第２の軸部４ａ、４ｂを形成して、この中間支持部材４の一面側に第１のレバー部材５を配設し、この第１レバー部材５に突設されたカム部５ｂを前記開口４ｅに挿通させた状態で、前記第１の軸部４ａに第１のレバー部材５を回動かつスライド移動可能に軸支して、第１のレバー部材５に第２のレバー部材６に突設された連結ピン６ｄを連結して、第１のレバー部材５が連結ピン６ｄに対して回動かつスライド移動可能となるように配置すると共に、第２のレバー部材６を前記第２の軸部４ｂに回動可能に軸支して、中間支持部材４の他面側に操作レバー３によって駆動されるカム部１０ｂを備えた可動部材１０を配置して、この可動部材１０のカム部１０ｂと前記開口４ｅに挿通された第１のレバー部材５のカム部５ｂとを互いに係合させるようにしたので、操作レバー３によって駆動されるホルダ９の上面側（図示下側）に配設された可動部材１０のカム部１０ｂに、中間支持部材４の開口４ｅを対応させた状態で中間支持部材４をホルダ９上に重ね、目視状態で、可動部材１０のカム部１０ｂと第１のレバー部材５のカム部５ｂとを所定の位置で係合させつつ第１のレバー部材５、第２のレバー部材６を組付けることができるので、組立てを容易かつ確実におこなうことができると共に、組立て後の組付け確認検査を不用にできるものとなっている。